(57)【要約】【課題】枠体にハンドルユニットを簡単かつ確実に取り付け可能で、取付作業時間を短縮でき、その結果、遊技機の組立作業及びメンテナンス作業を効率良く行える弾球遊技機を提供する。【解決手段】遊技球を発射する発射装置１２と、発射装置の発射勢を調整する操作ハンドル２１０を前側に備えたハンドルユニット２００と、ハンドルユニットを前面側から取り付け可能な枠体３と、を有する弾球遊技機１において、ハンドルユニットは、その後側に、操作ハンドルにおける発射勢を検出する検出手段２１４，２１５，２１９と繋がるコネクタ２２２を備えた中継基板２２０を有している。【選択図】図９
2014223244.tif 000002
【特許請求の範囲】
【請求項１】
遊技球を発射する発射装置と、該発射装置の発射勢を調整する操作ハンドルを前側に備えたハンドルユニットと、該ハンドルユニットを遊技者側である前面側から取り付け可能な枠体と、を有する弾球遊技機において、
前記ハンドルユニットは、その後側に、前記操作ハンドルにおける発射勢を検出する検出手段と繋がるコネクタを備えた中継基板を有していることを特徴とする弾球遊技機。
【発明の詳細な説明】
【技術分野】
【０００１】
本発明は、弾球遊技機に関し、特に、遊技球を発射する発射装置と、遊技球の発射勢を調整する操作ハンドルを備えたハンドルユニットと、を有する弾球遊技機に関するものである。
【背景技術】
【０００２】
従来、パチンコ遊技機等の弾球遊技機としては、遊技球を発射する発射装置と、遊技球の発射勢を調整する操作ハンドルを前側に備えたハンドルユニットと、を有するものが種々提案されている（例えば、特許文献１参照。）。
【０００３】
前記したような弾球遊技機のハンドルユニットは、遊技機の枠体に対して遊技者側である前面側から取り付けるようになっており、また、ハンドルユニットの後側から操作ハンドルと電気的に繋がる配線が延びており、その配線の先にコネクタが設けられていて、発射制御基板等に繋げる構成となっている。
【先行技術文献】
【特許文献】
【０００４】
【特許文献１】特開２００８−４９０３４号公報
【発明の概要】
【発明が解決しようとする課題】
【０００５】
しかしながら、遊技機の組立作業やメンテナンス作業において、前記したような弾球遊技機のハンドルユニットを、枠体に対して前面側から取り付ける際には、まず、ハンドルユニットの後側から延びている配線を取付位置の前面側から後面側に通し、その後、ハンドルユニットを取付位置に固定してから、配線を発射制御基板等に繋げる必要があった。このように、従来、枠体に対するハンドルユニットの取り付けに際しては、当該ハンドルユニットの後側から延びている配線の処理が煩雑であり、取付作業に要する時間が増加する原因となっていた。
【０００６】
本発明は、このような事情に鑑みてなされたものであり、枠体に対してハンドルユニットを簡単かつ確実に取り付けることができ、取付作業時間を短縮することができ、その結果、遊技機の組立作業及びメンテナンス作業を効率良く行うことができる弾球遊技機を提供することを目的とする。
【課題を解決するための手段】
【０００７】
かかる課題を解決するために、本発明の請求項１に記載の発明は、遊技球を発射する発射装置と、該発射装置の発射勢を調整する操作ハンドルを前側に備えたハンドルユニットと、該ハンドルユニットを遊技者側である前面側から取り付け可能な枠体と、を有する弾球遊技機において、前記ハンドルユニットは、その後側に、前記操作ハンドルにおける発射勢を検出する検出手段と繋がるコネクタを備えた中継基板を有している弾球遊技機としたことを特徴とする。
【０００８】
請求項１に係る発明によれば、ハンドルユニットの後側から配線が延びておらず、代わりに、ハンドルユニットの後側に、操作ハンドルにおける発射勢を検出する検出手段と繋がるコネクタを備えた中継基板を有しているため、ハンドルユニットを枠体におけるハンドルユニットの取付位置に固定し、その後、ハンドルユニットの外部からの配線コネクタを、ハンドルユニットの中継基板のコネクタに繋げる、という手順だけで、枠体にハンドルユニットを取り付けることができ、取付作業時の配線処理に関する煩雑な作業を行う必要がなくなる。これにより、枠体に対してハンドルユニットを簡単かつ確実に取り付けることができ、取付作業時間を短縮することができ、その結果、遊技機の組立作業及びメンテナンス作業を効率良く行うことができる。
【図面の簡単な説明】
【０００９】
【図１】本発明の実施の形態におけるパチンコ遊技機の正面図である。
【図２】同パチンコ遊技機の背面図である。
【図３】同パチンコ遊技機の右側面図である。
【図４】同パチンコ遊技機の窓枠を開けて遊技盤を取り外した状態の右斜視図である。
【図５】同パチンコ遊技機の下皿ユニット及びボタンユニットを取り外した状態の下部拡大正面図である。
【図６】同パチンコ遊技機のハンドルユニットの正面図である。
【図７】図６のＡ−Ａ断面図である。
【図８】図６のＢ−Ｂ断面図である。
【図９】同パチンコ遊技機のハンドルユニットの分解斜視図である。
【発明を実施するための形態】
【００１０】
以下、本発明の実施の形態における弾球遊技機として、パチンコ遊技機を例にして図面を参照しながら説明する。なお、以下の説明では、パチンコ遊技機を遊技者から見て、手前側をパチンコ遊技機の前側（前面側）とし、奥側をパチンコ遊技機の後側（後面側）として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態のパチンコ遊技機の概略構成について、図１〜図５を用いて説明する。図１〜図４に示すように、本実施の形態のパチンコ遊技機１は、主として、外枠２と、中枠３と、窓枠４と、により構成される枠体に、各種の遊技部品が取り付けられて形成されている。
【００１２】
外枠２は、図４に示すように、パチンコ遊技機１の外郭を成し、前後面が開口された略四角筒状に形成される枠体であり、パチンコホール等の遊技場に設けられた台島に設置されている。また、この外枠２には、中枠３が取り付けられている。
【００１３】
中枠３は、図４に示すように、前後面が開口された略四角筒状に形成される枠体であり、外枠２の前側の開口部に、中枠取付用ヒンジを構成する中枠用上ヒンジ３Ａ及び中枠用下ヒンジ３Ｂを介して外枠２に対して開閉可能に取り付けられている。また、図１に示すように、この中枠３には、窓枠４と、下皿ユニット５と、遊技盤６と、が取り付けられている。
【００１４】
窓枠４は、図１に示すように、中央が開口された枠体であり、正面視で中枠３の下部を除く略全面に渡って配置されており、中枠３の前側の開口部に、窓枠取付用ヒンジを構成する窓枠用上ヒンジ４Ａ及び窓枠用下ヒンジ４Ｂを介して中枠３に対して開閉可能に取り付けられている。窓枠４の中央には、正面視で略円形状の窓枠開口部７が形成されている。この窓枠開口部７は、ガラス又はアクリル等の透明板８により被覆されている。また、窓枠開口部７の下方には、上皿ユニット１００が配設されており、ここに、後述する賞球払出装置１６を介して払い出される賞球や貸球を受けて貯留し、当該遊技球を発射装置１２に導く上皿１１０が配置されている。また、この上皿ユニット１００における前側上面には、遊技演出に応じて遊技者が操作可能な操作手段としての押ボタン１２０及び十字キー１５０が配置されている。また、窓枠開口部７の左右上方には、高音用のスピーカ９がそれぞれ配設されている。
【００１５】
下皿ユニット５は、図１に示すように、中枠３の下部であって窓枠４の下方に取り付けられている。この下皿ユニット５の中央部の左側には、上皿１１０から溢れた遊技球が貯留される下皿１０が配設されている。また、下皿ユニット５の中央部の右側には、低音用のスピーカ１１が配設されている。また、下皿ユニット５の右部であって下皿１０の右方には、上皿１１０に貯留された遊技球を後述する遊技領域６Ａに発射するために遊技者が操作する操作ハンドル２１０を前側に備えたハンドルユニット２００が配設されている。さらに、下皿ユニット５の左部であって下皿１０の左方には、図示しない球貸制御装置を操作する球貸操作部５Ａが設けられ、各操作ボタン５Ｂ，５Ｃが配置されている。
【００１６】
また、図１に示すように、中枠３における操作ハンドル２１０の上方には、中枠３及び窓枠４を施錠する施錠装置を操作するための鍵挿入部３Ｃが設けられている。そして、窓枠４を開く際には、この鍵挿入部３Ｃに所定のキーを挿入して所定方向（例えば左方向）に回せば、施錠装置における窓枠４のロック状態が解除されて、窓枠用上ヒンジ４Ａ及び窓枠用下ヒンジ４Ｂを回動軸にして、窓枠４のみを開くことができるようになっている。また、中枠３を開く際には、この鍵挿入部３Ｃに所定のキーを挿入して別の所定方向（例えば右方向）に回せば、施錠装置における中枠３のロック状態が解除されて、中枠用上ヒンジ３Ａ及び中枠用下ヒンジ３Ｂを回動軸にして、窓枠４と一体に中枠３を開くことができるようになっている。
【００１７】
遊技盤６は、図１に示すように、遊技球が転動する領域である遊技領域６Ａが形成される部材である。遊技盤６は、窓枠４の後方であって、正面視で中枠３の下部を除く略全面に渡って配置されている。具体的には、図２に示すように、中枠３の周囲には例えば金属製の機構フレーム３００が設けられており、この機構フレーム３００に対して遊技盤６が遊技機前面側から着脱可能に取り付けられている。また、図２及び図３に示すように、機構フレーム３００の裏面側には、合成樹脂製の後枠部材３１０を有しており、この後枠部材３１０を介して合成樹脂製の裏面カバー３２０が蝶番３１１により開閉可能に取り付けられている。なお、遊技盤６の遊技領域６Ａは、窓枠４の窓枠開口部７の後方に配置され、前方から透明板８を介して視認可能に構成されている。また、遊技領域６Ａには、液晶表示器やＣＲＴなどの表示装置や、入賞装置、多数の遊技釘等が設けられているが、ここでは図示を省略している。
【００１８】
また、図５に示すように、中枠３における下皿ユニット５の中央部右側（上皿１１０の後方右側）には、遊技球を遊技領域６Ａへ向けて発射する発射装置１２が設けられている。この発射装置１２は、図４及び図５に示すように、上皿１１０から発射位置１２Ａに供給された遊技球を連続的に叩打する発射ソレノイド１２Ｂと発射槌１２Ｃを有しており、当該発射槌１２Ｃによって叩打された遊技球は発射レール１３に沿って遊技領域６Ａへ向けて発射されるようになっている。また、中枠３における発射装置１２の前方には、上皿１１０から連通するカセット状の球送り装置４００が設けられており、この球送り装置４００により、上皿１１０から供給された遊技球を、１つずつ発射装置１２の発射位置１２Ａに送り出すようになっている。
【００１９】
また、中枠３における発射装置１２の後方には、図２に示すように、発射制御基板１４を備えており、発射ハンドル２１０，発射装置１２及び球送り装置４００と電気的に繋がっている。そして、この発射制御基板１４が、操作ハンドル２１０からの信号を受けて、発射装置１２に遊技球の発射勢を決定する信号を送ると共に、球送り装置４００に対して発射装置１２の発射タイミングに合わせた球供給を行うように信号を送り、これにより、発射装置１２が発射勢を調整して遊技球を発射するように駆動制御している。
【００２０】
また、図２に示すように、中枠３の裏側最上段には、上方に開口した賞球タンク１５が機構フレーム３００に固定されている。この賞球タンク１５は、台島から供給される遊技球を貯留すると共に後述する賞球払出装置１６に供給するものであり、その底面が傾斜した構造となっている。本実施の形態では、賞球タンク１５の底面は遊技機裏側から見て右側（遊技機正面から見て左側）に傾斜しており、その下流に遊技球を１列に整列させて後述する賞球払出装置１６に遊技球を送り出す通路を形成するタンクレール１７が取り付けられている。
【００２１】
また、図２に示すように、中枠３の機構フレーム３００の裏面側に取り付けられた後枠部材３１０の裏側右端部（正面から見て左端部）には、上皿１１０に対して所定個数ずつ遊技球を払い出す賞球払出装置１６が取り付けられている。この賞球払出装置１６の中には、通過する遊技球を確認する球検出スイッチ（図示省略）や遊技球の払い出しを調節する払出ステッピングモータ（図示省略）等が内装されている。そして、これら賞球タンク１５，タンクレール１７及び賞球払出装置１６等により賞球及び貸球の払出システムが構成されている。
【００２２】
また、図２に示すように、遊技盤６の裏面側におけるタンクレール１７の下方位置には表示装置やスピーカ、ＬＥＤ等を制御するサブ制御基板１８が配設されている。また、このサブ制御基板１８の下方には、パチンコ遊技機１の遊技動作を制御する主制御基板１９が配設されている。また、中枠３の裏面側における主制御基板１９の下方には、裏面側から見て右側（正面から見て左側）に賞球払出装置２２を駆動制御する払出制御基板２０が配設されており、裏面側から見て左側（正面から見て右側）にＡＣ２４Ｖの供給電源からＤＣ５ＶやＤＣ１２Ｖ等の各種駆動電源を生成して供給する電源基板２１が配設されている。また、この電源基板２１の前面側（遊技者側）には、前記した発射制御基板１４が配設されている。なお、これら制御基板は何れもケースに入れられた状態で配設されている。
【００２３】
次に、ハンドルユニット２００の構成、中枠３におけるハンドルユニット取付位置の構成、及び、ハンドルユニット２００の中枠３への取付方法について図３〜図９を用いて説明する。
【００２４】
ハンドルユニット２００は、図６〜図９に示すように、中枠３の前面部に固定（ここではビス止めにて固定）される後側のハンドル本体部２３０と、このハンドル本体部２３０に保持される前側の操作ハンドル２１０を有している。
【００２５】
このうち、操作ハンドル２１０は、ハンドル本体部２３０に固定的に保持される保持部材２１１と、この保持部材２１１の前側に配置されて遊技者の操作で保持部材２１１に対して回動可能に設けられる大径の回動部材２１２と、回動部材２１２の前側に配置されて遊技者の手の平に当接する前面部材２１３を有している。
【００２６】
また、図９に示すように、回動部材２１２の後方には、回動部材２１２の回動量を検出するための検出手段としての可変抵抗器２１４が取り付けられると共に、この可変抵抗器２１４の回転軸にはギヤ２１７が取り付けられている。この可変抵抗器２１４は回動部材２１２を回転させることによってギヤ２１７を介して回転する回転軸の回転量に基づき抵抗値が変化し、このように変化された抵抗値の信号が図示しない信号線によって後述する中継基板２２０を介して発射制御基板１４に入力されるようになっている。
【００２７】
また、この回動部材２１２の後方には、検出手段としての発射停止スイッチ２１５と、この発射停止スイッチ２１５によって回動部材２１２の外側方向に突出するように付勢されている操作部２１８が設けられている。この発射停止スイッチ２１５は、図示しない信号線によって後述する中継基板２２０を介して発射制御基板１４に電気的に接続されている。そして、操作部２１８が押下されていない場合には、発射制御基板１４にＯＦＦ信号を送出し、この操作部２１８が押下された場合には、発射制御基板１４にＯＮ信号を送出するように構成されている。また、発射制御基板１４は、発射停止スイッチ２１５からＯＦＦ信号が入力されている場合には、遊技球を叩打する発射ソレノイドを駆動可能な状態に設定し、発射停止スイッチ２１５からＯＮ信号が入力されている場合には、発射ソレノイドを停止するように駆動制御するようになっている。
【００２８】
また、この回動部材２１２の後方には、検出手段としてのタッチスイッチ２１９が取り付けられている。ここで、回動部材２１２の表面には金属メッキが施されており、それによって、遊技者が回動部材２１２に触れた際の回動部材２１２の静電容量の変化が、回動部材２１２と電気的に繋がった静電スイッチであるタッチスイッチ２１９において検出されるようになっている。また、タッチスイッチ２１９は、図示しない信号線によって後述する中継基板２２０を介して発射制御基板１４に電気的に接続されている。そして、タッチスイッチ２１９において遊技者が回動部材２１２に触れた状態であることが検出された際に、当該タッチスイッチ２１９から出力される検出信号が、発射制御基板１４に入力されている場合に限り、発射制御基板１４は、遊技球を叩打する発射ソレノイドを駆動可能な状態に設定するようになっている。
【００２９】
また、回動部材２１２の前方には、ＬＥＤ等で構成される発光装置２１６が配設されている。また、前面部材２１３は透明又は半透明（有色，無色のどちらも含む）に形成されており、発光装置２１６からの光が前面部材２１３を介して遊技者に視認可能となっている。また、この発光装置２１６は、図示しない信号線によって後述する中継基板２２０を介してサブ発射制御基板１８に電気的に接続されている。
【００３０】
ハンドル本体部２３０には、前記した可変抵抗器（検出手段）２１４，発射停止スイッチ（検出手段）２１５，タッチスイッチ（検出手段）２１９及び発光装置２１６に信号線によって繋がる中継基板２２０を備えている。この中継基板２２０には、発射制御基板１４やサブ発射制御基板１８等の制御基板から延びる配線の先端に設けられた配線コネクタを接続するための１又は複数のユニット側コネクタが形成されている。ここでは、中継基板２２０が上部と下部に分かれており、上部の中継基板２２０に配置された上部ユニット側コネクタ２２１と下部の中継基板２２０に配置された下部ユニット側コネクタ（コネクタ）２２２の２つのユニット側コネクタが形成されている。
【００３１】
そして、中継基板２２０の下部ユニット側コネクタ２２２には、操作ハンドル２１０における発射勢を検出する検出手段としての可変抵抗器２１４，発射停止スイッチ２１５及びタッチスイッチ２１９から延びる信号線が接続されており、この下部ユニット側コネクタ２２２に接続された配線コネクタ１４Ｂ（図７に図示）に繋がる配線を介して、操作ハンドル２１０と発射制御基板１４が電気的に接続されている。また、発射制御基板１４を介して操作ハンドル２１０と発射装置１２や球送り装置４００が電気的に接続されるように構成されている。
【００３２】
また、中継基板２２０の上部ユニット側コネクタ２２１には発光装置２１６から延びる信号線が接続されており、この上部ユニット側コネクタ２２１に接続された配線コネクタ１４Ａ（図７に図示）に繋がる配線を介して、ハンドルユニット２００内の発光装置２１６とサブ制御基板１８が電気的に接続されるように構成されている。
【００３３】
また、図９に示すように、ハンドル本体部２３０の後端面には、中枠３に対する位置決め用の位置決め突起２３２が複数突設されている。また、同じくこのハンドル本体部２３０の後端面には、ハンドルユニット２００を中枠３に固定するためのネジ止め部２３１が複数形成されている。
【００３４】
また、図２，３，５に示すように、中枠３におけるハンドルユニット２００の取付位置である中枠３の前面部の右下方部には、中枠３の前面部から後面部に向かう挿通孔３Ｇが設けられており、ここにハンドルユニット２００のハンドル本体部２３０を挿入するようになっている。また、挿入孔３Ｇの奥側（後面側）には、貫通孔３Ｄが設けられており、中継基板２２０の上部ユニット側コネクタ２２１と下部ユニット側コネクタ２２２の双方が丁度露出する大きさ及び形状に空けられている。また、貫通孔３Ｄの周囲には、ハンドルユニット２００の各位置決め突起２３２が嵌入される位置決め孔３Ｅが設けられている。また、同じく貫通孔３Ｄの周囲には、ハンドルユニット２００の各ネジ止め部２３１に対応するネジ孔３Ｆが設けられている。
【００３５】
このような構成のハンドルユニット２００を中枠３の取付位置に取り付ける際には、ハンドルユニット２００の後側のハンドル本体部２３０に、操作ハンドルの内部の可変抵抗器２１４，発射停止スイッチ２１５及びタッチスイッチ２１９と繋がる下部ユニット側コネクタ２２２と発光装置２１６と繋がる上部ユニット側コネクタ２２１を備えた中継基板２２０を有し、中枠３におけるハンドルユニット２００の取付位置の後面側に、中継基板２２０のユニット側コネクタ２２１，２２２に対してサブ制御基板１８及び発射制御基板１４からの配線コネクタ１４Ａ，１４Ｂを差し込み可能な貫通孔３Ｄが形成されているため、まず、ハンドルユニット２００の各位置決め突起２３２を中枠３の各位置決め孔３Ｅに合わせて前面から挿入して、位置決めを行う。それから、中枠３の後面側から各ネジ孔３Ｆを介して対応するハンドルユニット２００の各ネジ止め部２３１にネジを螺合して固定する。
【００３６】
その後、サブ制御基板１８及び発射制御基板１４から延びている配線（ここでは各１本）の先端に設けられた配線コネクタ１４Ａ，１４Ｂを、中枠３の貫通孔３Ｄを介してハンドルユニット２００の中継基板２２０の上部ユニット側コネクタ２２１と下部ユニット側コネクタ２２２に繋げ、取り付けを完了する。
【００３７】
以上のように、本実施の形態のパチンコ遊技機（弾球遊技機）１は、遊技球を発射する発射装置１２と、該発射装置１２の発射勢を調整する操作ハンドル２１０を前側に備えたハンドルユニット２００と、該ハンドルユニット２００を遊技者側である前面側から取り付け可能な中枠（枠体）３と、前記操作ハンドル２１０の調整に応じて前記発射装置１２を駆動制御する発射制御基板１４と、を有するパチンコ遊技機（弾球遊技機）１において、前記ハンドルユニット２００は、その後側に、前記操作ハンドル２１０における発射勢を検出する検出手段としての可変抵抗器２１４，発射停止スイッチ２１５及びタッチスイッチ２１９と電気的に繋がる下部ユニット側コネクタ（コネクタ）２２２や前記ハンドルユニット２００内に配置された発光装置２１６と電気的に繋がる上部ユニット側コネクタ２２１を備えた中継基板２２０を有しており、前記中枠（枠体）３は、前記ハンドルユニット２００の取付位置の後面側に、前記ハンドルユニット２００を取り付けた状態での前記中継基板２２０の前記ユニット側コネクタ２２１，２２２に対して、前記サブ制御基板１８及び前記発射制御基板１４に繋がる配線コネクタ１４Ａ，１４Ｂを差し込み可能な貫通孔３Ｄが形成されているパチンコ遊技機（弾球遊技機）１としたことを特徴とする。
【００３８】
そして、本実施の形態によれば、ハンドルユニット２００の後側から配線が延びておらず、代わりに、ハンドルユニット２００の後側に、操作ハンドル２１０における発射勢を検出する検出手段としての可変抵抗器２１４，発射停止スイッチ２１５及びタッチスイッチ２１９と繋がる下部ユニット側コネクタ（コネクタ）２２２やハンドルユニット２００内の発光装置２１６と繋がる上部ユニット側コネクタ２２１を備えた中継基板２２０を有しているため、ハンドルユニット２００を中枠（枠体）３におけるハンドルユニット２００の取付位置に固定し、その後、サブ制御基板１８や発射制御基板１４等のハンドルユニット２００の外部から延びている配線コネクタ１４Ａ，１４Ｂを、中枠（枠体）３の取付位置に形成されている貫通孔３Ｄを介してハンドルユニット２００の中継基板２２０のユニット側コネクタ２２１，２２２に繋げる、という手順だけで、中枠（枠体）３にハンドルユニット２００を取り付けることができ、取付作業時の配線処理に関する煩雑な作業を行う必要がなくなる。これにより、中枠（枠体）３に対してハンドルユニット２００を簡単かつ確実に取り付けることができ、取付作業時間を短縮することができ、その結果、遊技機の組立作業及びメンテナンス作業を効率良く行うことができる。
【００３９】
なお、以上説明した実施の形態は、本発明の理解を容易にするために記載されたものであって、本発明を限定するために記載されたものではない。
【００４０】
例えば、前記した実施の形態では、パチンコ遊技機を用いて説明したが、これに限るものではなく、本発明は、雀球遊技機やアレンジボール等の他の弾球遊技機にも適用可能である。
【００４１】
また、ハンドルユニットには、前記した実施の形態で示したもの以外の電気部品（例えば、振動手段等）が配置されていても良く、その場合は、それらを含めて中継基板のユニット側コネクタを介して発射制御基板やサブ制御基板等の制御基板に接続されるようになっていても良い。
【００４２】
さらに、前記した実施の形態では、操作ハンドルの可変抵抗器や発射停止スイッチ等から延びる信号線と直接的に繋がるユニット側コネクタ（コネクタ）を備えた中継基板を介して発射制御基板に接続され、当該発射制御基板から駆動源を有する発射装置に繋がるようになっていたが、これに限るものではなく、ハンドルユニットに中継基板を有していて、ハンドルユニットの取付時にハンドルユニットの後側から配線が延びていないように構成されたものであれば良い。例えば、ハンドルユニット内に発射制御基板を有しており、操作ハンドルの可変抵抗器や発射停止スイッチ等の検出手段から延びる信号線とハンドルユニット内の発射制御基板が接続されており、さらに発射制御基板とハンドルユニットの後側に配置された中継基板が接続されていて、当該中継基板に設けられたコネクタを介して、ハンドルユニット外の発射装置等に繋がるように構成されていても良い。また、このとき、発射制御基板と中継基板が１つの基板で構成されていても良い。
【００４３】
また、前記した実施の形態では、中継基板のユニット側コネクタが、中枠に対するハンドルユニットの取付方向である遊技機の後方を向いており、中枠におけるハンドルユニットの取付位置に設けられた貫通孔を介してユニット側コネクタに発射制御基板から延びている配線コネクタを接続するようになっていたが、これに限るものではなく、中継基板やコネクタは、遊技機の前方や横方向や上下方向等、適宜の方向を向いて取り付けられていれば良い。また、発射制御基板等のハンドルユニットの外部からの配線コネクタを貫通孔を介さずにユニット側コネクタに接続するような構成となっていて良い。
【符号の説明】
【００４４】
１…パチンコ遊技機（弾球遊技機）、３…中枠（枠体）、１２…発射装置、２００…ハンドルユニット、２１０…操作ハンドル、２２０…中継基板、２２２…下部ユニット側コネクタ（コネクタ）、２１４…可変抵抗器（検出手段）、２１５…発射停止スイッチ（検出手段）、２１９…タッチスイッチ（検出手段）
【図１】
2014223244.tif 000003
【図２】
2014223244.tif 000004
【図３】
2014223244.tif 000005
【図４】
2014223244.tif 000006
【図５】
2014223244.tif 000007
【図６】
2014223244.tif 000008
【図７】
2014223244.tif 000009
【図８】
2014223244.tif 000010
【図９】
2014223244.tif 000011